(57)【要約】【課題】クロストークの発生を抑えることができる表示装置を提供することを、目的とする。【解決手段】表示装置１０は、表示部と、分離部３４とを備える。表示部は、互いに異なる複数の画像をそれぞれ分割し、これらの分割画像を所定の順番に並べることで形成された合成画像を表示する。分離部３４は、合成画像に含まれる複数の画像を分離する。表示部は、格納部５４と、補正部５２とを備える。格納部５４は、合成画像に含まれる複数の画像のうち、観察者が本来見るべき画像を表示する画素の階調データを補正するときに用いるクロストークレベルを格納する。補正部５２は、格納部５４に格納されているクロストークレベルを用いて、観察者が本来見るべき画像を表示する画素の階調データを補正する。クロストークレベルは、予め定められた複数の方向のそれぞれから観察者が画像を見る場合について設定されている。【選択図】図１
2015038532.tif 000002
【特許請求の範囲】
【請求項１】
互いに異なる複数の画像をそれぞれ分割し、これらの分割画像を所定の順番に並べることで形成された合成画像を表示する表示部と、
前記合成画像に含まれる前記複数の画像を分離する分離部とを備え、
前記表示部は、
前記合成画像に含まれる前記複数の画像のうち、観察者が本来見るべき画像を表示する画素の階調データを補正するときに用いるクロストークレベルを格納する格納部と、
前記格納部に格納されているクロストークレベルを用いて、観察者が本来見るべき画像を表示する画素の階調データを補正する補正部とを備え、
前記クロストークレベルは、予め定められた複数の方向のそれぞれから観察者が画像を見る場合について設定されている、表示装置。
【請求項２】
前記表示部は、クロストークの要因になる画素の階調データを、観察者が本来見るべき画像を表示する画素に隣接する画素の階調データに基づいて演算する演算部を備える、請求項１に記載の表示装置。
【請求項３】
前記補正部は、式（１）により、観察者が本来見るべき画像を表示する画素の階調データを補正する、請求項１又は２に記載の表示装置。
ＩＯ＝ＩＸ＋（Ｃ＋１）×（ＩＭ−ＩＸ−ＩＹ−１）／（ＩＭ＋１）・・・（１）
ＩＸ：観察者が本来見るべき画像を表示する画素の階調データ
ＩＹ：クロストークの要因になる画素の階調データ
ＩＭ：観察者が本来見るべき画像を表示する画素の階調データの最大値
Ｃ：クロストークレベル
ＩＯ：補正後の画素の階調データ
【請求項４】
前記表示部は、
前記合成画像を表示する表示パネルと、
観察者が本来見るべき画像を表示する画素が、前記表示パネルに形成された複数の領域の何れに存在するかを確認する確認部とをさらに備え、
前記複数の領域のそれぞれにおいて、予め定められた複数の方向のそれぞれから観察者が画像を見る場合の前記クロストークレベルが設定されており、
前記格納部は、前記複数の領域のそれぞれに設定されている、予め定められた複数の方向のそれぞれから観察者が画像を見る場合の前記クロストークレベルを格納し、
前記補正部は、前記複数の領域のうち、観察者が本来見るべき画像を表示する画素が存在すると前記確認部が確認した領域に設定されている、予め定められた複数の方向のそれぞれから観察者が画像を見る場合の前記クロストークレベルから選択した前記クロストークレベルを用いて、観察者が本来見るべき画像を表示する画素の階調データを補正する、請求項１〜３の何れか１項に記載の表示装置。
【請求項５】
観察者が本来見るべき画像を表示する画素の階調データと、クロストークの要因になる画素の階調データとを含む階調データの組み合わせごとに、予め定められた複数の方向のそれぞれから観察者が画像を見る場合の前記クロストークレベルが設定されており、
前記格納部は、これらのクロストークレベルを格納する、請求項１〜４の何れか１項に記載の表示装置。
【請求項６】
前記表示部は、前記階調データを所定ビットのデータに変換する変換部をさらに備え、
前記変換部が変換したデータを用いて、前記補正部が前記階調データを補正する、請求項１〜５の何れか１項に記載の表示装置。
【請求項７】
前記分離部が、前記合成画像に含まれる前記複数の画像を互いに異なる方向から見られるように分離する視差バリアである、請求項１〜６の何れか１項に記載の表示装置。
【請求項８】
前記分離部が、前記合成画像に含まれる前記複数の画像を互いに異なる方向から見られるように分離するレンチキュラーレンズである、請求項１〜６の何れか１項に記載の表示装置。
【請求項９】
前記分離部が、前記合成画像に含まれる前記複数の画像を互いに異なる方向から見られるように分離する液晶レンズである、請求項１〜６の何れか１項に記載の表示装置。
【請求項１０】
前記分離部が、前記合成画像に含まれる前記複数の画像を互いに異なる方向から見られるように分離する部分位相差板である、請求項１〜６の何れか１項に記載の表示装置。
【発明の詳細な説明】
【技術分野】
【０００１】
本発明は、表示装置に関する。
【背景技術】
【０００２】
近年、表示パネルと、視差バリアとを備える表示装置が提案されている（例えば、国際公開第２００７／３２１３２号、特開２００４−３１２７８０号公報参照）。表示パネルは、合成画像を表示する。合成画像は、互いに異なる複数の画像をそれぞれ分割し、これらの分割画像を所定の順番に並べることで形成される。視差バリアは、合成画像に含まれる複数の画像を互いに異なる方向から見られるように分離する。このような表示装置は、例えば、デジタルカメラの立体ディスプレイや、車載用のデュアルビュー表示装置等として実用化されている。
【０００３】
しかしながら、このような表示装置においては、観察者が複数の画像の何れか１つを見る際に他の画像も見えてしまう現象（クロストーク）が発生することがある。そのため、本来観察者が見るべき画像が見え難くなってしまうという問題がある。
【先行技術文献】
【特許文献】
【０００４】
【特許文献１】国際公開第２００７／３２１３２号
【特許文献２】特開２００４−３１２７８０号公報
【発明の概要】
【発明が解決しようとする課題】
【０００５】
本発明の目的は、クロストークの発生を抑えることができる、表示装置を提供することにある。
【課題を解決するための手段】
【０００６】
本発明の表示装置は、互いに異なる複数の画像をそれぞれ分割し、これらの分割画像を所定の順番に並べることで形成された合成画像を表示する表示部と、前記合成画像に含まれる前記複数の画像を分離する分離部とを備え、前記表示部は、前記合成画像に含まれる前記複数の画像のうち、観察者が本来見るべき画像を表示する画素の階調データを補正するときに用いるクロストークレベルを格納する格納部と、前記格納部に格納されているクロストークレベルを用いて、観察者が本来見るべき画像を表示する画素の階調データを補正する補正部とを備え、前記クロストークレベルは、予め定められた複数の方向のそれぞれから観察者が画像を見る場合について設定されている。
【発明の効果】
【０００７】
本発明の表示装置によれば、クロストークの発生を抑えることができる。
【図面の簡単な説明】
【０００８】
【図１】図１は、本発明の実施形態としての表示装置の概略構成の一例を示す模式図である。
【図２】図２は、表示部の概略構成の一例を示すブロック図である。
【図３】図３は、表示制御部の概略構成の一例を示すブロック図である。
【図４】図４は、クロストークの要因になる画素を説明するための模式図である。
【図５】図５は、表示制御部の概略構成の他の一例を示すブロック図である。
【図６】図６は、表示領域を示す模式図である。
【図７】図７は、表示制御部の概略構成の他の一例を示すブロック図である。
【図８】図８は、左眼用階調データの組み合わせと第１クロストークレベルとの関係の一例を示すテーブルである。
【図９】図９は、右眼用階調データの組み合わせと第２クロストークレベルとの関係の一例を示すテーブルである。
【図１０】図１０は、表示制御部の概略構成の他の一例を示すブロック図である。
【図１１】図１１は、表示装置の概略構成の他の一例を示す模式図である。
【図１２】図１２は、表示装置の概略構成の他の一例を示す模式図である。
【図１３】図１３は、表示装置の概略構成の他の一例を示す模式図である。
【発明を実施するための形態】
【０００９】
本発明の一実施形態に係る表示装置は、互いに異なる複数の画像をそれぞれ分割し、これらの分割画像を所定の順番に並べることで形成された合成画像を表示する表示部と、前記合成画像に含まれる前記複数の画像を分離する分離部とを備え、前記表示部は、前記合成画像に含まれる前記複数の画像のうち、観察者が本来見るべき画像を表示する画素の階調データを補正するときに用いるクロストークレベルを格納する格納部と、前記格納部に格納されているクロストークレベルを用いて、観察者が本来見るべき画像を表示する画素の階調データを補正する補正部とを備え、前記クロストークレベルは、予め定められた複数の方向のそれぞれから観察者が画像を見る場合について設定されている（第１の構成）。
【００１０】
第１の構成においては、観察者が本来見るべき画像を表示する画素の階調データを補正するときに用いるクロストークレベルを、観察者が画像を見る方向に応じて変更できる。その結果、適正なクロストーク補正をすることができる。
【００１１】
第２の構成は、前記第１の構成において、前記表示部は、クロストークの要因になる画素の階調データを、観察者が本来見るべき画像を表示する画素に隣接する画素の階調データに基づいて演算する演算部を備える。
【００１２】
第３の構成は、前記第１又は第２の構成において、前記補正部は、式（１）により、観察者が本来見るべき画像を表示する画素の階調データを補正する。
ＩＯ＝ＩＸ＋（Ｃ＋１）×（ＩＭ−ＩＸ−ＩＹ−１）／（ＩＭ＋１）・・・（１）
ＩＸ：観察者が本来見るべき画像を表示する画素の階調データ
ＩＹ：クロストークの要因になる画素の階調データ
ＩＭ：観察者が本来見るべき画像を表示する画素の階調データの最大値
Ｃ：クロストークレベル
ＩＯ：補正後の画素の階調データ
【００１３】
第４の構成は、前記第１〜第３の構成の何れか１つにおいて、前記表示部は、前記合成画像を表示する表示パネルと、観察者が本来見るべき画像を表示する画素が、前記表示パネルに形成された複数の領域の何れに存在するかを確認する確認部とをさらに備え、前記複数の領域のそれぞれにおいて、予め定められた複数の方向のそれぞれから観察者が画像を見る場合の前記クロストークレベルが設定されており、前記格納部は、前記複数の領域のそれぞれに設定されている、予め定められた複数の方向のそれぞれから観察者が画像を見る場合の前記クロストークレベルを格納し、前記補正部は、前記複数の領域のうち、観察者が本来見るべき画像を表示する画素が存在すると前記確認部が確認した領域に設定されている、予め定められた複数の方向のそれぞれから観察者が画像を見る場合の前記クロストークレベルから選択した前記クロストークレベルを用いて、観察者が本来見るべき画像を表示する画素の階調データを補正する。第３の構成においては、より適正なクロストーク補正をすることができる。
【００１４】
第５の構成は、前記第１〜第４の構成の何れか１つにおいて、観察者が本来見るべき画像を表示する画素の階調データと、クロストークの要因になる画素の階調データとを含む階調データの組み合わせごとに、予め定められた複数の方向のそれぞれから観察者が画像を見る場合の前記クロストークレベルが設定されており、前記格納部は、これらのクロストークレベルを格納する。第４の構成においては、より適正なクロストーク補正をすることができる。
【００１５】
第６の構成は、前記第１〜第５の構成の何れか１つにおいて、前記表示部は、前記階調データを所定ビットのデータに変換する変換部をさらに備え、前記変換部が変換したデータを用いて、前記補正部が前記階調データを補正する。第４の構成においては、階調データが、階調値ではなく、例えば、電圧値、輝度値等であっても、階調データを補正することが容易になる。
【００１６】
第７の構成は、前記第１〜第６の構成の何れか１つにおいて、前記分離部が、前記合成画像に含まれる前記複数の画像を互いに異なる方向から見られるように分離する視差バリアである。
【００１７】
第８の構成は、前記第１〜第６の構成の何れか１つにおいて、前記分離部が、前記合成画像に含まれる前記複数の画像を互いに異なる方向から見られるように分離するレンチキュラーレンズである。
【００１８】
第９の構成は、前記第１〜第６の構成の何れか１つにおいて、前記分離部が、前記合成画像に含まれる前記複数の画像を互いに異なる方向から見られるように分離する液晶レンズである。
【００１９】
第１０の構成は、前記第１〜第６の構成の何れか１つにおいて、前記分離部が、前記合成画像に含まれる前記複数の画像を互いに異なる方向から見られるように分離する部分位相差板である。
【００２０】
以下、本発明のより具体的な実施形態について、その一例を表した図面を参照しながら説明する。なお、以下で参照する各図は、説明の便宜上、本発明の実施形態の構成部材のうち、本発明を説明するために必要な主要部材のみを簡略化して示したものである。従って、本発明に係る表示装置は、本明細書が参照する各図に示されていない任意の構成部材を備え得る。また、各図中の部材の寸法は、実際の構成部材の寸法および各部材の寸法比率等を忠実に表したものではない。
【００２１】
［実施形態］
図１には、本発明の実施形態としての表示装置１０が示されている。表示装置１０は、表示パネル１２と、バリア部１４と、バックライト１６とを備えている。
【００２２】
表示パネル１２は、液晶パネルである。表示パネル１２は、アクティブマトリクス基板１８と、対向基板２０と、これらの基板１８，２０の間に封入された液晶層２２とを備えている。アクティブマトリクス基板１８は、複数の画素電極（図示せず）を有する。複数の画素電極は、マトリクス状に配置されている。対向基板２０は、共通電極（図示せず）を有する。
【００２３】
表示パネル１２は、表示領域１３（図２参照）を有する。表示領域１３には、複数の画素がマトリクス状に配置されている。画素は、画素電極を含んで形成されている。
【００２４】
図１に示す例では、右眼用画像を表示する画素Ｒの列と、左眼用画像を表示する画素Ｌの列とが、交互に配置されている。即ち、図１に示す例では、右眼用画像と左眼用画像が、それぞれ、画素列毎に（ストライプ状に）分割される。これらストライプ状に分割された右眼用画像と左眼用画像とを交互に並べた合成画像が表示パネル１２に表示される。
【００２５】
なお、図示はしていないが、アクティブマトリクス基板１８と対向基板２０の何れか一方には、カラーフィルタ層が形成されている。これにより、各画素に色特性が付与される。
【００２６】
表示パネル１２の厚さ方向一方側には、バックライト１６が配置されている。バックライト１６は、光源２４と、反射部２６とを備える。
【００２７】
バックライト１６では、光源２４から照射された光が、反射部２６によって反射される。その結果、表示パネル１２に光が照射される。
【００２８】
なお、バックライト１６は、図１に示すエッジライト型の他、例えば、直下型、平面光源型等であってもよい。また、光源２４は、例えば、冷陰極管、発光ダイオード等であってもよい。
【００２９】
表示パネル１２の厚さ方向他方側には、バリア部１４が配置されている。なお、バリア部１４は、遮光／透光（バックライト１６からの照射光の分離）を行うために配置されるものであり、表示パネル１２の厚さ方向他方側に配置されている必要はない。例えば、表示パネル１２とバックライト１６との間に配置されていてもよい。
【００３０】
バリア部１４は、基板２８を備える。基板２８は、例えば、ガラス基板等である。
【００３１】
バリア部１４は、複数の遮光層３０を更に備える。遮光層３０は、例えば、黒色顔料を含む感光性樹脂等である。
【００３２】
複数の遮光層３０は、表示パネル１２が有する画素Ｒ，Ｌの列に対応して、ストライプ状に形成されている。換言すれば、バリア部１４には、隣り合う２つの遮光層３０，３０の間において、透光スリット３２が形成されている。即ち、バリア部１４は、遮光層３０と、透光スリット３２とが交互に並ぶ分離部としての視差バリア３４を有している。
【００３３】
各遮光層３０は、バックライト１６から照射され、表示パネル１２を透過した光の一部を遮光する。これにより、右眼用画像を表示する画素Ｒの列については、観察者の右眼で観察できるが、観察者の左眼では観察できないようになる。また、左眼用画像を表示する画素Ｌの列については、観察者の左眼で観察できるが、観察者の右眼では観察できないようになる。その結果、観察者は、立体画像を見ることができる。
【００３４】
また、バリア部１４は、樹脂層３６を更に備える。樹脂層３６は、例えば、紫外線硬化樹脂等である。
【００３５】
樹脂層３６は、基板２８上に形成されている。樹脂層３６は、遮光層３０を覆っている。樹脂層３６は、バリア部１４と表示パネル１２を接着している。
【００３６】
なお、本実施形態において、アクティブマトリクス基板１８側に配置される偏光板３８ａは、アクティブマトリクス基板１８に貼り付けられており、対向基板２０側に配置される偏光板３８ｂは、基板２８に貼り付けられている。
【００３７】
また、図２に示すように、表示装置１０は、表示パネル１２の駆動制御部として、ゲートドライバ４０と、ソースドライバ４２と、表示制御部４４とを備えている。
【００３８】
ゲートドライバ４０には、複数のゲート線４６が接続されている。これら複数のゲート線４６は、それぞれ、スイッチング素子としての薄膜トランジスタ（図示せず）のゲート電極（図示せず）に接続されている。薄膜トランジスタは、アクティブマトリクス基板１８上に形成されている。ゲート線４６は、ゲートドライバ４０から出力される走査信号を伝送する。ゲート電極に入力される走査信号によって、薄膜トランジスタが駆動制御される。
【００３９】
ソースドライバ４２には、複数のソース線４８が接続されている。ソース線４８は、薄膜トランジスタのソース電極（図示せず）に接続されている。ソース線４８は、ソースドライバ４２から出力される表示信号を伝送する。薄膜トランジスタの駆動状態下において、薄膜トランジスタに表示信号が入力されると、表示信号に応じた電荷が、薄膜トランジスタに接続された蓄積容量（図示せず）に蓄積される。蓄積容量は、薄膜トランジスタのドレイン電極（図示せず）に接続された画素電極と、共通電極と、液晶層２２のうちこれらの電極の間に位置する部分とによって実現される。表示信号に応じた電荷が蓄積容量に蓄積されることにより、画素の階調が制御される。その結果、表示パネル１２に画像が表示される。
【００４０】
表示制御部４４は、外部から送られてくる表示データと、タイミング信号とに基づいて、画像表示に必要な各種信号を生成し、ゲートドライバ４０及びソースドライバ４２に出力する。上述の合成画像は、表示制御部４４において生成される。
【００４１】
すなわち、本実施形態では、表示パネル１２と、表示パネル１２の制御部（ゲートドライバ４０、ソースドライバ４２及び表示制御部４４）とによって、表示部が実現されている。
【００４２】
表示制御部４４は、図３に示すように、メモリ５０と、補正部５２と、演算部５３と、格納部５４とを備える。
【００４３】
メモリ５０は、外部から送られてくる表示データのうち、本来観察者が見るべき画像を表示するための表示データを一時的に格納する。図３に示す例では、表示制御部４４が有するメモリは１つであるが、例えば、表示制御部４４が有するメモリは２つであってもよい。この場合、一方のメモリは、左眼用画像を表示するための表示データを一時的に格納する。他方のメモリは、右眼用画像を表示するための表示データを一時的に格納する。なお、表示制御部４４は、メモリを有していなくてもよい。
【００４４】
補正部５２は、合成画像に含まれる複数の画像のうち、本来観察者が見るべき画像を表示する画素の階調データ（本実施形態では、階調値）を補正する。これにより、クロストークの発生が抑えられる。クロストークは、合成画像に含まれる複数の画像のうち、本来観察者が見るべき画像以外の画像が見えてしまう現象である。クロストークは、例えば、表示装置１０における各層間での多重反射や視差バリア３４の遮光層３０からの光漏れ等によって生じる。
【００４５】
補正部５２は、式（１´）により、本来観察者が見るべき画像を表示する画素の階調データを補正する。
ＩｏＬｎ＝ＩＬｎ＋（Ｃ＋１）×（ＩＭ−ＩＬｎ−Ｉ´Ｒｎ−１）／（ＩＭ＋１）・・（１´）
【００４６】
ここで、ＩｏＬｎは、補正後の画素Ｌｎの階調データである。ＩＬｎは、画素Ｌｎの階調データである。Ｃは、クロストークレベルである。ＩＭは、画素Ｌｎの階調データの最大値である。Ｉ´Ｒｎは、クロストークの要因になる画素の階調データ（要因階調データ）である。例えば、２５６階調の場合、ＩｏＬｎ、ＩＬｎ、Ｉ´Ｒｎ及びＣの範囲は、それぞれ、０〜２５５になり、ＩＭは２５５になる。
【００４７】
要因階調データは、例えば、合成画像に含まれる複数の画像のうち、本来観察者が見るべき画像以外の画像を表示する画素（クロストークの要因になる画素）の階調データに基づいて生成される。要因階調データは、演算部５３が生成する。クロストークの要因になる画素は、例えば、視差バリアが有する遮光層と透光スリットとの位置関係等によって異なる。本実施形態では、遮光層３０と、透光スリット３２とが、表示装置１０の表示画面（表示領域１３）の左右方向に交互に形成された視差バリア３４が採用されているので、クロストークの要因になる画素は、本来観察者が見るべき画像を表示する画素に対して、表示装置１０の表示画面（表示領域１３）の左右方向で両隣に位置する画素である。換言すれば、本実施形態では、クロストークの要因になる画素は、マトリクス状に形成された複数の画素のうち、本来観察者が見るべき画像を表示する画素に対して、行方向で両隣に位置する画素である。
【００４８】
例えば、図４に示す画素Ｌｎにおいては、画素Ｌｎの両隣に位置する画素Ｒｎ−１と画素Ｒｎがクロストークの要因になる。画素Ｌｎのクロストークを補正する際に用いる要因階調データＩ´Ｒｎは、例えば、式（２）によって求められる。
Ｉ´Ｒｎ＝（ＩＲｎ−１＋ＩＲｎ）／２・・・（２）
【００４９】
ここで、ＩＲｎ−１は、画素Ｒｎ−1の階調データである。ＩＲｎは、画素Ｒｎの階調データである。例えば、２５６階調の場合、ＩＲｎ−１とＩＲｎの範囲は、それぞれ、０〜２５５になる。
【００５０】
各画素が複数のサブ画素（例えば、赤色画素、緑色画素及び青色画素等）を有する場合、要因階調データ及び補正後の階調データは、サブ画素毎に生成される。
【００５１】
格納部５４は、複数のクロストークレベルを格納する。複数のクロストークレベルには、例えば、観察者が本来左眼で見るべき画像（観察者が本来第１方向から見るべき画像）を表示する画素の階調データを補正するときに用いられる第１クロストークレベルと、観察者が本来右眼で見るべき画像（観察者が本来第２方向から見るべき画像）を表示する画素の階調データを補正するときに用いられる第２クロストークレベルとが含まれる。
【００５２】
補正部５２は、観察者が本来左眼で見るべき画像（左眼用画像）を表示する画素の階調データを補正するときには、第１クロストークレベルを用いる。補正部５２は、観察者が本来右眼で見るべき画像（右眼用画像）を表示する画素の階調データを補正するときには、第２クロストークレベルを用いる。これにより、最適なクロストーク補正ができる。その結果、表示品位の更なる向上を図ることができる。
【００５３】
上記の式（１´）、（２）は、左眼用画像を表示する画素Ｌの階調データを補正する場合に用いられる。右眼用画像を表示する画素Ｒの階調データを補正する場合の式は、上記の式（１´）、（２）において、ＲとＬを変更するだけで良い。右眼用画像を表示する画素Ｒの階調データを補正する場合については、詳細な説明を省略する。
【００５４】
上記（１´）式が示す内容を明らかにするために、式（１´）が如何にして導出されるかを説明する。
【００５５】
先ず、クロストーク率をＦとすると、左眼に入ってくる画素の階調データは、下式（３）で表される。
ＩＬ＋（Ｆ×ＩＲ）・・・（３）
【００５６】
ここで、ＩＬは、左眼に入ってくる画素の階調データのうち、左眼用画像を表示する画素Ｌの階調データＩＬに起因する部分を示す。Ｆ×ＩＲは、左眼に入ってくる画素の階調データのうち、クロストークに起因する部分を示す。即ち、Ｆ×ＩＲは、右眼用画像を表示する画素Ｒの階調データＩＲにクロストーク率Ｆを乗算したものである。Ｆの範囲は、０〜１である。
【００５７】
Ｆは、例えば、視差バリア３４において隣り合う２つの遮光層３０，３０の間隔、遮光層３０の形状、遮光層３０の材料、遮光層３０の形成位置、遮光層３０の幅、遮光層３０の厚さ、遮光層３０と画素Ｒ，Ｌとの位置関係等に起因し、表示装置１０毎に異なる。Ｆは、表示装置１０毎に測定して求めることができる。Ｆの測定方法としては、例えば、左眼用画像を表示する画素を黒表示し、且つ、右眼用画像を表示する画素を白表示した場合に左眼に入ってくる画素の輝度を測定すると共に、左眼用画像を表示する画素と右眼用画像を表示する画素の両方を黒表示した場合に左眼に入ってくる画素の輝度を測定し、これらの輝度の差から計算する方法等を採用することができる。Ｆは、表示領域１３の中央で測定したものであってもよいし、表示領域１３の複数箇所で測定したものの平均値であってもよい。
【００５８】
Ｆは、Ｃ／ＩＭと表すこともできる。ＦをＣ／ＩＭとして表せば、式（３）は以下のようになる。
ＩＬ＋（Ｃ／ＩＭ）×ＩＲ・・・（３´）
【００５９】
式（３´）で表される、左眼に入ってくる画素の階調データを補正するには、下式（４）のように補正する必要がある。これは、事前にクロストークの影響分を減算しておくことにより、クロストークの影響を受けた後の階調データが、本来表示したい階調データになるように補正するものである。
ＩＬ−（Ｃ／ＩＭ）×ＩＲ＋（Ｃ／ＩＭ）×ＩＲ＝ＩＬ・・・（４）
【００６０】
従って、補正後の階調データは、下式（５）のように表すことができる。
ＩＬ−（Ｃ／ＩＭ）×ＩＲ・・・（５）
【００６１】
ここで、補正後の階調データが負になるのを防ぐために、階調を予めＣだけ浮かす必要がある。換言すれば、階調データの範囲をＣ〜ＩＭに変更する必要がある。例えば、２５６階調の場合、階調データの範囲をＣ〜２５５に変更する必要がある。ＩＬをＣだけ浮かせたものをＩｂとすると、Ｉｂは下式（６）のように表すことができる。
Ｉｂ＝ＩＬ×（（ＩＭ−Ｃ）／ＩＭ）＋Ｃ・・・（６）
【００６２】
従って、補正後の階調データＩｏは、（５）式のＩＬに、（６）式のＩｂを代入して計算すると、下式（７）のようになる。
Ｉｏ＝Ｉｂ−（Ｃ／ＩＭ）×ＩＲ
＝（ＩＭ×ＩＬ−Ｃ×ＩＬ−Ｃ×ＩＲ）／ＩＭ＋Ｃ・・・（７）
【００６３】
ここで、ハードウェアで計算する際に、回路が複雑になるのを回避するため、式（７）を近似すると、式（７）は以下のようになる。
Ｉｏ＋１＝（（ＩＭ＋１）×（ＩＬ＋１）−（Ｃ＋１）×（ＩＬ＋１）−（Ｃ＋１）×（ＩＲ＋１））／（ＩＭ＋１）＋（Ｃ＋１）・・・（７´）
【００６４】
式（７）の近似は、Ｉｏ、ＩＭ、ＩＬ、ＩＲ及びＣに１加算することで行われる。
【００６５】
式（７´）を計算すると、以下のようになる。
Ｉｏ＋１＝ＩＬ＋１＋（Ｃ＋１）×（ＩＭ−ＩＬ−ＩＲ−１）／（ＩＭ＋１）・・・（８）
【００６６】
式（８）からＩｏを求める式は、以下のようになる。
Ｉｏ＝ＩＬ＋（Ｃ＋１）×（ＩＭ−ＩＬ−ＩＲ−１）／（ＩＭ＋１）・・・（９）
【００６７】
ここで、２５６階調の場合、ＩＭ＋１は２５６になるので、式（９）は以下のように表すことができる。
Ｉｏ＝ＩＬ＋（Ｃ＋１）×（ＩＭ−ＩＬ−ＩＲ−１）＞＞８・・・（１０）
【００６８】
式（１０）において、＞＞８は、下位８ビットシフト（２５６での除算）を意味する。
【００６９】
第１補正部５２Ｌが補正した階調データは、式（９）又は式（１０）で表される。要因階調データは、式（９）又は式（１０）の第２項に含まれるＩＲである。
【００７０】
上記の式（３）〜（１０）は、左眼用画像を表示する画素Ｌの階調データを補正する場合についてのものである。右眼用画像を表示する画素Ｒの階調データを補正する場合の式は、上記の式（３）〜（１０）において、ＲとＬを変更するだけで良い。右眼用画像を表示する画素Ｒの階調データを補正する場合については、詳細な説明を省略する。
【００７１】
［実施形態の応用例１］
格納部５４が格納するクロストークレベルは、第１クロストークレベル及び第２クロストークレベルに限定されない。例えば、第１クロストークレベル及び第２クロストークレベルの他に、観察者が本来第３方向から見るべき画像を表示する画素の階調データを補正するときに用いられる第３クロストークレベルを、格納部５４が格納してもよい。この場合、例えば、２視点の立体表示等を実現することができる。つまり、格納部５４が格納するクロストークレベルの種類を増やすことによって、例えば、多視点の立体表示等を実現することができる。
【００７２】
［実施形態の応用例２］
メモリ５０、補正部５２及び格納部５４は、それぞれ、複数あってもよい。例えば、図５に示すように、表示制御部４４が、第１メモリ５０Ｌと、第２メモリ５０Ｒと、第１補正部５２Ｌと、第２補正部５２Ｒと、第１格納部５４Ｌと、第２格納部５４Ｒとを備えていてもよい。図５に示す例では、第１メモリ５０Ｌは、左眼用画像の表示データを一時的に格納する。第２メモリ５０Ｒは、右眼用画像の表示データを一時的に格納する。第１補正部５２Ｌは、左眼用画像を表示する画素の階調データを補正する。第２補正部５２Ｒは、右眼用画像を表示する画素の階調データを補正する。第１格納部５４Ｌは、第１補正部５２Ｌが左眼用画像を表示する画素の階調データを補正するときに用いる第１クロストークレベルを格納する。第２格納部５４Ｒは、第２補正部５２Ｒが右眼用画像を表示する画素の階調データを補正するときに用いる第２クロストークレベルを格納する。図５に示す例では、演算部５３が設けられていない。図５に示す例では、第１補正部５２Ｌ及び第２補正部５２Ｒのそれぞれが、要因階調データを生成する。
【００７３】
［実施形態の応用例３］
本応用例では、図６に示すように、表示領域１３が３つの領域１３ａ，１３ｂ，１３ｃに分割されている。領域１３ａ，１３ｂ，１３ｃごとに、第１クロストークレベルと、第２クロストークレベルとが設定されている。
【００７４】
本応用例では、図７に示すように、表示制御部４４は、確認部５６をさらに備える。確認部５６は、合成画像に含まれる複数の画像のうち、観察者が本来見るべき画像を表示する画素が３つの領域１３ａ，１３ｂ，１３ｃの何れに存在するかを確認する。確認部５６は、例えば、表示領域１３内の画素の位置を示すアドレスデータに基づいて、観察者が本来見るべき画像を表示する画素が何れの領域１３ａ，１３ｂ，１３ｃに存在するかを確認する。確認部５６は、観察者が本来見るべき画像を表示する画素が存在する領域を確認したら、その領域に対応するクロストークレベルを格納部５４から読み出す。確認部５６は、格納部５４から読み出したクロストークレベルを補正部５２に提供する。補正部５２は、確認部５６から提供されたクロストークレベルを用いて、階調データを補正する。
【００７５】
左眼用画像を表示する画素の階調データを補正する場合、補正部５２は、第１クロストークレベルを用いる。右眼用画像を表示する画素の階調データを補正する場合、補正部５２は、第２クロストークレベルを用いる。
【００７６】
［実施形態の応用例４］
本応用例では、格納部５４は、複数の第１クロストークレベル及び複数の第２クロストークレベルを格納する。
【００７７】
第１クロストークレベルは、左眼用画像を表示する画素の階調データと、要因階調データとの組み合わせ（この組み合わせを左眼用階調データの組み合わせとする）ごとに設定されている。図８は、左眼用階調データの組み合わせと、第１クロストークレベルとの関係の一例を示すテーブルである。格納部５４は、図８に示すようなテーブルを格納する。
【００７８】
第２クロストークレベルは、右眼用画像を表示する画素の階調データと、要因階調データとの組み合わせ（この組み合わせを右眼用階調データの組み合わせとする）ごとに設定されている。図９は、右眼用階調データの組み合わせと、第２クロストークレベルとの関係の一例を示すテーブルである。格納部５４は、図９に示すようなテーブルを格納する。
【００７９】
本応用例において、補正部５２は、左眼用画像を表示する画素の階調データを補正するときの要因階調データを生成する。補正部５２は、左眼用画像を表示する画素の階調データと、要因階調データとの組み合わせ（左眼用階調データの組み合わせ）を確認する。補正部５２は、確認した左眼用階調データの組み合わせに対応する第１クロストークレベルを格納部５４から読み出す。補正部５２は、格納部５４から読み出した第１クロストークレベルを用いて、階調データを補正する。
【００８０】
本応用例において、補正部５２は、右眼用画像を表示する画素の階調データを補正するときの要因階調データを生成する。補正部５２は、右眼用画像を表示する画素の階調データと、要因階調データとの組み合わせ（右眼用階調データの組み合わせ）を確認する。補正部５２は、確認した右眼用階調データの組み合わせに対応する第２クロストークレベルを格納部５４から読み出す。補正部５２は、格納部５４から読み出した第２クロストークレベルを用いて、階調データを補正する。
【００８１】
［実施形態の応用例５］
本応用例では、図６に示すように、表示領域１３が３つの領域１３ａ，１３ｂ，１３ｃに分割されている。図７に示すように、表示制御部４４は、確認部５６をさらに備える。図８及び図９に示すようなテーブルが、領域１３ａ，１３ｂ，１３ｃごとに設けられている。
【００８２】
［実施形態の応用例６］
本応用例では、図１０に示すように、表示制御部４４が変更部７１を備える。変更部７１は、階調データが、階調値ではなく、例えば、電圧値や輝度値である場合に、２５６階調（８ビット）を表すために、これら電圧値や輝度値を所定ビット（例えば、１０ビットや１６ビット）のデータとして取り扱えるようにするものである。補正部５２は、変更部７１によって変更されたデータを用いて、階調データを補正する。図１０に示す例では、表示制御部４４が演算部５３を備えていない。図１０に示す例では、補正部５２が要因階調データを生成する。
【００８３】
［実施形態の応用例７］
本応用例では、図１１に示すように、バリア部１４の代わりに、分離部としてのレンチキュラーレンズ７２が配置されている。レンチキュラーレンズ７２は、複数のシリンドリカルレンズ７４を有する。複数のシリンドリカルレンズ７４は、画素Ｒの列と画素Ｌの列とが交互に並ぶ方向に配列されている。レンチキュラーレンズ７２は、偏光板３８ｂに貼り付けられる。このとき、各シリンドリカルレンズ７４は、画素Ｒ，Ｌの列に対応する位置にある。なお、本応用例では、偏光板３８ｂは対向基板２０に貼り付けられている。
【００８４】
［実施形態の応用例８］
本応用例では、図１２に示すように、バリア部１４の代わりに、液晶パネル７６を備える。液晶パネル７６は、一対の基板７８，７８と、これらの間に封入された液晶層８０とを備える。一対の基板７８，７８間に電圧を印加する。これにより、液晶層８０の屈折率が部分的に変化する。その結果、液晶層８０に疑似的なレンズ（液晶レンズ）が複数形成される。複数のレンズは、画素Ｒの列と画素Ｌの列とが交互に並ぶ方向に形成される。各レンズは、画素Ｒ，Ｌの列に対応する位置に形成される。液晶層に形成される疑似的なレンズが分離部として機能する。
【００８５】
［実施形態の応用例９］
本応用例では、図１３に示すように、バリア部１４の代わりに、分離部としての部分位相差板８２が配置されている。即ち、本応用例は、偏光メガネ方式の立体表示装置に関するものである。
【００８６】
部分位相差板８２は、位相差部８４と、非位相差部８６とをそれぞれ複数有する。位相差部８４と非位相差部８６は交互に並んでいる。位相差部８４は、１／２波長板であり、入射光（直線偏光）の偏光方向を９０度回転させる。
【００８７】
本応用例では、左眼用画像を表示する画素Ｌが位相差部８４を通して観察者に見え、右眼用画像を表示する画素Ｒが非位相差部７４を通して観察者に見える。観察者は、偏光メガネ８８を用いることにより、左眼用画像を左眼だけで見ることができ、右眼用画像を右眼だけで見ることができる。
【００８８】
以上、本発明の実施形態について、詳述してきたが、これらはあくまでも例示であって、本発明は、上述の実施形態によって、何等、限定されない。
【００８９】
例えば、バリア部１４の代わりに、スイッチ液晶パネルを採用しても良い。スイッチ液晶パネルは、一対の基板と、一対の基板間に封入された液晶層とを備える。一対の基板間に電圧を印加することにより、光を透過させる部分（透光スリット）と、光を遮断する部分（遮光層）とを有する視差バリア（分離部）が実現される。スイッチ液晶パネルを採用すれば、視差バリアを実現しない場合に、平面画像を観察者に見せることができる。また、スイッチ液晶パネルを採用すると、例えば、表示装置を縦（横）向きから横（縦）向きに変化させた場合であっても、換言すれば、表示装置が縦向きと横向きの何れであっても、３Ｄディスプレイや、マルチビューディスプレイを実現することができる。
【００９０】
表示パネルは、例えば、プラズマディスプレイパネル、有機ＥＬ（Electro Luminescence）パネル、無機ＥＬパネル等であっても良い。
【００９１】
クロストークの要因になる画素として、例えば、本来観察者が見るべき画像を表示する画素に対して、斜め方向で隣に位置する画素を追加しても良い。
【００９２】
要因階調データは、本来観察者が見るべき画像を表示する画素の両隣に位置する画素の階調データの平均である必要はない。例えば、本来観察者が見るべき画像を表示する画素の両隣に位置する画素のそれぞれの階調データに、クロストークの寄与率を乗算し、これらを加算してもよい。
【００９３】
本発明は、共通の表示画面を用いて複数の方向に異なる画像を表示する表示装置に対しても、勿論、適用可能である。
【符号の説明】
【００９４】
１０：表示装置、１３ａ：領域、１３ｂ：領域、１３ｃ：領域、３４：視差バリア、５２：補正部、５４：格納部、５６：確認部、７１：変換部
【図１】
2015038532.tif 000003
【図２】
2015038532.tif 000004
【図３】
2015038532.tif 000005
【図４】
2015038532.tif 000006
【図５】
2015038532.tif 000007
【図６】
2015038532.tif 000008
【図７】
2015038532.tif 000009
【図８】
2015038532.tif 000010
【図９】
2015038532.tif 000011
【図１０】
2015038532.tif 000012
【図１１】
2015038532.tif 000013
【図１２】
2015038532.tif 000014
【図１３】
2015038532.tif 000015